(57)【特許請求の範囲】
【請求項１】
ループ状に形成されて回転駆動される網目状のワイヤ相互間に紙原料液を供給し、ワイヤ相互間で紙原料液を脱水して紙層を形成する抄紙機フォーマのワイヤ洗浄装置において、上記ワイヤに向けて洗浄水を供給する洗浄水供給手段と、該洗浄水供給手段の下流側に設けられ、上記ワイヤに向けて洗浄水を押圧してワイヤの幅方向に薄い水膜を形成して、ワイヤ中の汚れ物質と置換するブレードと、該ブレードの下流側に設けられ、かつ上記ワイヤに向けて加圧空気をスリットから噴射する加圧空気噴射部と、該加圧空気噴射部のスリットの出口の周囲に設けられ、該加圧空気噴射部のスリットの出口と上記ワイヤとの間に間隙を形成するとともに、該加圧空気噴射部のスリットから噴射される加圧空気の周囲を覆って閉空間を形成するミスト飛散防止壁とを備え、上記ブレードには、上記ワイヤの搬送方向に向けて先細の角度の斜面部を形成したことを特徴とする抄紙機フォーマのワイヤ洗浄装置。
【発明の詳細な説明】
【０００１】
【発明の属する技術分野】
本発明は、高い洗浄効率が得られるとともにミストの飛散を防止することができる抄紙機フォーマのワイヤ洗浄装置に関する。
【０００２】
【従来の技術】
図３に、抄紙機フォーマ部の一形式を示し、図４に従来よく用いられている高圧水ジェットによるワイヤ洗浄装置の詳細を示す。
図３において、ヘッドボックス１から噴出された紙原料液２は、フォーミングロール１０とブレストロール１１によってガイドされたトップワイヤ３とボトムワイヤ４の間に供給される。この紙原料液２は、トップワイヤ３とボトムワイヤ４の２枚のワイヤ３，４によって形成されるギャップに挟み込まれてトップワイヤ３とボトムワイヤ４と略同速で送られる。トップワイヤ３とボトムワイヤ４は、その間隔を狭めながら、ボトムワイヤ４のループ内に設けられた第１脱水機器５と、トップワイヤ３のループ内に設けられた第２脱水機器６によって紙原料液２の脱水が行われ、徐々に繊維マットが形成される。
更に、ボトムワイヤ４のループ内に設けられた第３脱水機器７によって脱水が行われ、最終的な紙層が形成される。
【０００３】
こうして、形成された紙層は、クーチロール８をへて、トランスファーボックス９にて確実にボトムワイヤ４に移され、次に、サクションピックアップロ一ル（図示せず）で次工程のプレスパートに移送される。
トップワイヤ３及びボトムワイヤ４は、それぞれエンドレスになっており、リターンロール１２，ワイヤターニングロール１３で方向転換を行い連続的に使用される。
【０００４】
これらの工程の中で、脱水工程において、ワイヤ３，４が通過する時に紙原料液がワイヤ３，４の網目に絡み付き、またワイヤ３，４が紙匹と離れる箇所、トランスファーボックス９上では、紙匹表面の紙粉がワイヤ３に付着してワイヤを汚していた。そこで、これらのワイヤ３，４の網目に絡み付いたり付着している汚れを除去する為に、高圧水ジェット式ワイヤ洗浄装置１４，１５が、それぞれのワイヤ３，４に設置されている。
【０００５】
同洗浄装置の詳細図を図４に、その作用図を図５に示し説明する。
高圧水ジェットノズル１９は、水の導管１７内を貫通するネジ孔をもったボス部に、抄紙機の幅方向に所定のピッチで、複数個取り付けてある。
この洗浄装置は、紙粉で汚れたワイヤ３，４を洗浄するため、導管１７へ供給された高圧水を高圧水ジェットノズル１９からニードル状の高圧水ジェット２０として噴出させている。
また、この高圧水ジェットノズル１９でワイヤ３の幅方向全面を洗浄する為、高圧水ジェットノズル１９を取り付けている導管１７を摺動させている。一方、ワイヤ３，４を通過した高圧水ジェット２０をセイボール又は図示のようなサクションボックス２１で吸引し、排水管を経て外部へ排出する。
こうして、ワイヤ３，４の紙粉による汚れの洗浄を行っていた。
【０００６】
上記高圧水ジェットノズル１９の設置場所は、図３中、符号１４で示すようなフリーラン上のワイヤ３に高圧水ジェット２０を噴射させたり、ミスト発生の影響が少ないと考えられるような場合では、符号１５で示すように、ロール上のワイヤ４に向かって噴射する様に高圧水ジェットノズル１９を設けたりしている。後者のロール上で高圧水ジェット２０を噴出する場合には、ワイヤ４を通過した高圧水ジェット２０が再び水ジェット側へ反射するため往復洗浄となり、洗浄効率を高くすることができるが、ミスト２２の発生が多くなる欠点ももっていた。
【０００７】
【発明が解決しようとする課題】
上記従来の高圧水ジェットによるワイヤ洗浄装置では、高圧水ジェット２０で局所的にワイヤ３，４を洗浄している為、洗浄効率が低かった。また、高圧水ジェット２０を摺動させて洗浄しているが、機械的に摺動させているので、その折り返し点では他の部分より滞留時間が長く、極端な場合にはワイヤ３，４が変形すると云う課題があった。更に、高圧水ジェットノズル１９から噴出するニードル状の高圧水ジェット２０が走行するワイヤ３，４に衝突し、ワイヤ３，４を通過した水しぶきは、セイボールやサクションボックス等で容易に回収できるが、ワイヤ３，４面で反射して発生するミストは、発生部分を完全に覆うことができないため、マシン及び周辺部の雰囲気を湿潤にすると共に、ミスト中に含まれる繊維・填料等を飛散させ、周辺部等にこれらの紙料分が滞積する。
これらの、滞積物等がワイヤ３，４上に飛び込むと、断紙や損紙等の不具合が発生し、連続運転を行う抄紙機の操業では重大な課題となっていた。
【０００８】
本発明は上記課題を解決し、高い洗浄効率が得られるとともにミストの飛散を防止することができる抄紙機フォーマのワイヤ洗浄装置を提供することを目的とする。
【０００９】
【課題を解決するための手段】
本発明は上記課題を解決するため、ループ状に形成されて回転駆動される網目状のワイヤ相互間に紙原料液を供給し、ワイヤ相互間で紙原料液を脱水して紙層を形成する抄紙機フォーマのワイヤ洗浄装置において、上記ワイヤに向けて洗浄水を供給する洗浄水供給手段と、該洗浄水供給手段の下流側に設けられ、上記ワイヤに向けて洗浄水を押圧してワイヤの幅方向に薄い水膜を形成して、ワイヤ中の汚れ物質と置換するブレードと、該ブレードの下流側に設けられ、かつ上記ワイヤに向けて加圧空気をスリットから噴射する加圧空気噴射部と、該加圧空気噴射部のスリットの出口の周囲に設けられ、該加圧空気噴射部のスリットの出口と上記ワイヤとの間に間隙を形成するとともに、該加圧空気噴射部のスリットから噴射される加圧空気の周囲を覆って閉空間を形成するミスト飛散防止壁とを備え、上記ブレードには、上記ワイヤの搬送方向に向けて先細の角度の斜面部を形成したことにある。
【００１０】
本発明は、抄紙機のワイヤ洗浄装置において、洗浄水供給ボックスから、ワイヤに洗浄水を供給し、この洗浄水供給ボックスの下流側にワイヤの搬送方向に向けて先細の角度を形成する楔状の固定ブレードを設けて、ワイヤ中に洗浄水を押し込む。そして、更にその下流側にワイヤ中に押し込まれた洗浄水を、除去するために加圧空気をスリット状に噴射する。この加圧空気噴射部のワイヤに接する箇所にミスト飛散防止壁を設けミストの飛散を防止する。
【００１１】
【発明の実施の形態】
以下本発明の実施の形態を図面を参照しながら詳細に説明する。
図１は、本発明の抄紙機フォーマのワイヤ洗浄装置を示す概念断面図である。
【００１２】
図１において、５０は抄紙機において、紙原料液を脱水して紙層を形成するトップワイヤあるいはボトムワイヤ等のワイヤである。Ａはワイヤ５０の途中に設置されたワイヤ洗浄装置である。
【００１３】
本発明の、抄紙機ワイヤ洗浄装置Ａは、洗浄水を供給する洗浄水供給手段としての洗浄水供給ボックス５１と、その下流側に走行するワイヤ５０中に洗浄水を押し込む為に、ワイヤ５０の搬送方向に向けて先細の角度の斜面部５２ａを形成する楔状の固定ブレード５２と、更にその下流側にワイヤ５０中に押し込まれた洗浄水を、加圧空気をスリット状に噴射して除去する加圧空気噴射手段としての加圧空気噴射部５３と、加圧空気噴射部５３のワイヤ５０に接する箇所に設けられたミスト飛散防止壁５４とで構成されている。
【００１４】
すなわち、洗浄水供給ボックス５１に供給された洗浄水は、そのボックスの一部に設けられたスリット状の開口部５６を経て流れ、楔状の固定ブレード５２の斜面部５２ａに沿って、幅方向に均一に水膜を形成する流れとなって、走行するワイヤ５０に達する。
走行するワイヤ５０の内側に流れ出た洗浄水は、楔状の固定ブレード５２の斜面部５２ａと、走行するワイヤ５０との間に発生する楔圧によって走行するワイヤ５０中に押し込まれる。
押し込まれた洗浄水は、ワイヤ５０の空隙にはいり、走行するワイヤ５０中に含まれる汚れ物質（繊維・填料等）を希釈する。
洗浄水を含んだワイヤ５０は、その下流側に設置された加圧空気源（図示せず）に接続された幅方向に均一なスリット幅を有するスリット５５からエアをワイヤ５０に噴射される。
スリット５５の出口５５ａと、走行するワイヤ５０の間には、隙間（δ）を有しており、接触することによるスリット５５の出口５５ａの詰まりを防止している。
【００１５】
しかしながら、ここに隙間（δ）をもたせると、スリット５５からワイヤ５０に衝突したエアが、全量ワイヤ５０を通過せず、ミスト状になって飛散すると云う問題がある。
それを防止する為、スリット５５の出口５５ａの周囲にミスト飛散防止壁５４を設けて、スリット５５の出口５５ａとワイヤ５０との間を、隙間（δ）を有するミスト飛散防止用の閉空間５７としている。閉空間５７は、楔状固定ブレード５２の後面５２ｂをミスト飛散防止壁５４の一部に利用している。こうして、発生するミストの抑制と壁面への接触で水滴状にして、ミストの発生及び飛散を防止している。
【００１６】
本発明による抄紙機フォーマのワイヤ洗浄装置によれば次のような効果を奏することができる。
本願のワイヤ洗浄装置は、ワイヤ５０の幅方向全域に均一な水膜を形成させ、その下流側に設置した楔状の固定ブレード５２によってワイヤ５０中に押し込み充満させて、ワイヤ５０中に同伴する汚れ物質（繊維・填料等）を希釈したのち、スリット５５から加圧空気を噴射し、ワイヤ５０中の水分を除去するものである。
ワイヤ５０中の汚れ物質は、清浄な洗浄水によって希釈・置換させることによって洗浄・除去され、走行するワイヤ５０は清浄化され、高い洗浄効率が得られる。
ここで、スリット５５の出口５５ａとワイヤ５０との間に隙間を設けると多量のミストが発生する。
一方、接触させていると、運転中は加圧空気が噴出しているがマシンが停止した際には加圧空気の供給を停止するため、汚れ物質が乾燥し詰まり易く、狭いスリットにする事ができず、多量に加圧空気を消費していた。
そこで、本願では、ミストの発生を抑制すると同時に空気消費量を低減する為、スリット５５の出口５５ａとワイヤ５０との間に隙間（δ）を設け、閉空間５７のミスト飛散防止壁５４を設けることにより、上記課題を解決する事ができた。
【００１７】
なお、洗浄水供給ボックス５１に供給された洗浄水は、そのボックスの一部に設けられたスリット状の開口部５６を経て流れ、楔状固定ブレード５２の斜面部５２ａに沿って、幅方向に均一に水膜を形成する流れとなって、走行するワイヤ５０に達しているが、装置本体５９の壁面６０に、開口部５６に連通する貫通穴６１を形成して、この貫通穴６１から壁面６０と楔状固定ブレード５２の前面との間隙６２を通して斜面部５２ａに供給するようにしても良い。
【００１８】
このミスト飛散防止用の閉空間５７を形成するには、図１に示す様な楔状固定ブレード５２の後面５２ｂを併用したり、柔軟な材料を用いても良い。また、図２に示すようにスリット５５の出口５５ａの全周にミスト飛散防止壁５４を設けて楔状固定ブレード５２とは独立の構成としても良い。
楔状固定ブレード５２には、Ｔ形のアリ溝５８が設けられており、容易にマシン幅方向に抜き差し可能となっている。また、ワイヤ５０の走行速度や洗浄水量等によって、楔角や耐摩耗性を考慮する事ができる。
【００１９】
【発明の効果】
以上述べたように、本発明による抄紙機フォーマのワイヤ洗浄装置によれば次のような効果を奏することができる。
ループ状に形成されて回転駆動される網目状のワイヤ相互間に紙原料液を供給し、ワイヤ相互間で紙原料液を脱水して紙層を形成する抄紙機フォーマのワイヤ洗浄装置において、上記ワイヤに向けて洗浄水を供給する洗浄水供給手段と、該洗浄水供給手段の下流側に設けられ、上記ワイヤに向けて洗浄水を押圧してワイヤの幅方向に薄い水膜を形成して、ワイヤ中の汚れ物質と置換するブレードと、該ブレードの下流側に設けられ、かつ上記ワイヤに向けて加圧空気をスリットから噴射する加圧空気噴射部と、該加圧空気噴射部のスリットの出口の周囲に設けられ、該加圧空気噴射部のスリットの出口と上記ワイヤとの間に間隙を形成するとともに、該加圧空気噴射部のスリットから噴射される加圧空気の周囲を覆って閉空間を形成するミスト飛散防止壁とを備え、上記ブレードには、上記ワイヤの搬送方向に向けて先細の角度の斜面部を形成したので、ワイヤ中の汚れ物質は、清浄な洗浄水によって希釈・置換させることによって洗浄・除去され、走行するワイヤは清浄化され、高い洗浄効率が得られる。また、加圧空気噴射部のスリットの出口と上記ワイヤとの間に間隙を形成するとともに、該加圧空気噴射部のスリットから噴射される加圧空気の周囲を覆って閉空間を形成するミスト飛散防止壁とを備えたので、汚れ物質が詰まりにくく、ミストの発生及び飛散を防止することができる。
また、ワイヤの幅方向全域に均一な水膜を形成させ、その下流側に設置したブレードによってワイヤ中に押し込み充満させて、ワイヤ中に同伴する汚れ物質(繊維・填料等)を希釈したのち、加圧空気を噴射し、ワイヤ中の水分を除去することができる。
こうして、ワイヤ中の汚れ物質は、清浄な洗浄水によって希釈・置換させることによって洗浄・除去され、走行するワイヤは清浄化され、高い洗浄効率が得られる。
【図面の簡単な説明】
【図１】本発明による抄紙機フォーマのワイヤ洗浄装置の実施の形態を示す断面図である。
【図２】本発明による抄紙機フォーマのワイヤ洗浄装置の他の実施の形態を示す断面図である。
【図３】抄紙機フォーマ部の一形式を示す斜視図である。
【図４】従来よく用いられている高圧水ジェットによるワイヤ洗浄装置の詳細を示す概念図である。
【図５】従来の高圧水ジェットによるワイヤ洗浄装置の詳細を示す概念図である。
【符号の説明】
５０  ワイヤ
５１  洗浄水供給ボックス（洗浄水供給手段）
５２  固定ブレード
５３  加圧空気噴射部
５４  ミスト飛散防止壁
５５  スリット
５６  開口部
５７    閉空間
５８  アリ溝
５９  装置本体
６０  壁面
６１  貫通穴
６２  間隙
【図１】
0003621836.tif 000002
【図２】
0003621836.tif 000003
【図３】
0003621836.tif 000004
【図４】
0003621836.tif 000005
【図５】
0003621836.tif 000006